(57)【要約】【課題】  明室において、ペーパーマガジンへの装填作業が効率よく行なえるロール状感光材料を提供する。【解決手段】  ロール状に巻かれる長尺の感光材料の先端には、この感光材料の幅よりも幅広の帯状遮光部材が設けられて、この帯状遮光部材が、ロール状に巻かれた感光材料の外周面に巻き付けられているロール状感光材料において、感光材料の幅とほぼ同一幅からなり、且つ保形性を備えたシート状リーダー部材を遮光用部材の先端部に設けるようにした。【選択図】  図３
2006126685.tif 000002
【特許請求の範囲】
【請求項１】
ロール状に巻かれる長尺の感光材料の先端には、この感光材料の幅よりも幅広の帯状遮光部材が設けられて、この帯状遮光部材が、ロール状に巻かれた感光材料の外周面に巻き付けられているロール状感光材料において、
感光材料の幅とほぼ同一幅からなるシート状リーダ部材を遮光用部材の先端部に設けることを特徴とするロール状感光材料。
【請求項２】
シート状リーダー部材が保形性を有するシート材料から形成されていることを特徴とする請求項１に記載のロール状感光材料。
【発明の詳細な説明】
【技術分野】
【０００１】
本発明は、画像処理装置で用いられるロール状感光材料、詳しくは明室にてベーバーマガジンに装填できるようにするために、感光材料の幅よりも幅広の帯状遮光部材がロール状に巻かれた感光材料の外周面に巻き付けられたロール状感光材料に関する。
【背景技術】
【０００２】
一般にこの種のロール状感光材料が使用される画像処理装置は、例えば印画紙などの感光材料を搬送するための搬送装置と、画像を感光材料に焼き付けるための焼付処理部と、焼付処理部で焼付け処理された感光材料を現像処理するための現像処理部と、現像された感光材料を乾燥処理するための乾燥処理部とが備えられ、ロール状に巻かれた感光材料をペーパーマガジン内に装填した上で、このペーパーマガジンを焼付け処理部内にセットして、ペーパーマガジンから感光材料を順次繰り出しながら、この感光材料に各種処理を施すようにしている。
【０００３】
ところで、前述のロール状の感光材料を明室でペーパーマガジンに装填できるようにするために、ロール状に巻かれた長尺の感光材料の左右両側を遮光部材で覆うと共に、感光材料の先端に、この感光材料の幅よりも若干幅広とした帯状遮光部材を接続して、この帯状遮光部材をロール状に巻かれた感光材料の外周面に巻き付けることで、感光材料を遮光している。
【０００４】
そして以上のごとく遮光部材で包装された感光材料をペーパーマガジンにセットするに際しては、まず、遮光部材で覆われた感光材料をリールを介してペーパーマガジン内に装填した後、帯状遮光部材の先端をペーパーマガジンのペーパー引出し口近くに設けたペーパーガイド内に挿通して、その挿通端部をペーパー引出し口からマガジン外に引き出した上で、ペーパーマガジンを閉じるようにしている。（特許文献１参照）
ところで以上の感光材料を包装している帯状遮光部材は、通常、薄くて腰の弱いビニールシートから形成されていることから、この帯状遮光部材の先端部をペーパーマガジンのペーパーガイド内に挿通し難いし、しかもこの帯状遮光部材の幅は、感光材料をガイドするためのペーパーガイドのガイド幅よりも広いことから、この帯状遮光部材をペーパーガイド内に挿通するに際しては、予め帯状遮光部材の先端部両側を一部折り返すなどして、帯状遮光部材の先端部の幅をガイドのガイド幅よりも狭くした上で挿通しなければならず、手間を要し、全体としてロール状感光材料のマガジンへの装填作業性が悪いものである。
【特許文献１】特開２００４−４１５８号公報
【発明の開示】
【発明が解決しようとする課題】
【０００５】
本発明は以上の実情に鑑みて開発したものであって、目的とするところは、明室において、ペーパーマガジンへの装填作業が効率よく行なえるロール状感光材料を提供することにある。
【課題を解決するための手段】
【０００６】
以上の目的を達成するために、請求項１に記載の発明は、ロール状に巻かれる長尺の感光材料の先端には、この感光材料の幅よりも幅広の帯状遮光部材が設けられて、この帯状遮光部材が、ロール状に巻かれた感光材料の外周面に巻き付けられているロール状感光材料において、感光材料の幅とほぼ同一幅からなるシート状リーダー部材を遮光用部材の先端部に設けるようにしたことを特徴とするものである。
【０００７】
また請求項２に記載の発明は、請求項１に記載のシート状リーダー部材が保形性を有するシート材料から形成されていることを特徴とするものである。
【発明の効果】
【０００８】
請求項１に記載の発明によれば、帯状遮光部材の先端部に設けられるシート状リーダー部材の幅が、ロール状に巻かれた感光材料の幅とほぼ同一であるので、ロール状感光材料をペーパーマガジン内に装填するに際して、シート状リーダー部材６の先端部を感光材料の幅とほぼ同一幅に設定されているペーパーマガジンのペーパーガイド内に容易に挿通して、ペーパー引出し口からマガジン外に引き出すことが出来て、引き出されたシート状リーダー部材を更に引き出すことで、帯状遮光部材をもペーパーガイドを介してペーパー引出し口からマガジン外に引き出すことが簡単且つスムーズに行なえ、全体として、ロール状感光材料をペーパーマガジン内に装填する際の作業性が良好となるのである。
【０００９】
請求項２に記載の発明によれば、請求項１に記載の発明の効果に加え、シート状リーダー部材のペーパーガイドへの挿通作業がより一層行い易くなるのである。
【発明を実施するための最良の形態】
【００１０】
次に、本発明にかかるロール状感光材料の実施形態を、図面を参照しながら説明する。
【００１１】
図において符号１で示すロール状感光材料は、明室でペーパーマガジン７に装填できるようしたものであって、このロール状感光材料１は、基本的には、
円筒状の巻芯２と、
この巻芯２の外周にロール状に巻きつけてなる長尺の印画紙３と、
ロール状に巻かれた長尺の印画紙３の左右両側をそれぞれ覆うための円盤状遮光部材４ａ・４ｂと、
ロール状に巻かれた印画紙３の外周を覆うための帯状遮光部材５とから構成されている。
【００１２】
円盤状遮光部材４ａ・４ｂ及び帯状遮光部材５は、ビニール材料から形成した光を通さない黒色の薄いフィルムから形成されている。
【００１３】
円盤状遮光部材４ａ・４ｂは、その外周がロール状に巻かれた印画紙３の外周よりも一回り大きく形成されている。
【００１４】
帯状遮光部材５の幅Ｗ１は、印画紙３の幅Ｗ２よりも若干広くて、また帯状遮光部材５の長さＬは、ロール状に巻かれた印画紙３の外周を二周以上巻ける長さとしているのであって、この帯状遮光部材５の長さ方向一端部は、印画紙３の巻き終わりの先端部に接着剤により接続されている。
【００１５】
以上のロール状感光材料１において、図に示す実施形態では、幅寸法（Ｗ３）が印画紙３の幅Ｗ２と同一幅のシート状リーダー部材６を用意して、このシート状リーダー部材６の長さ方向一端部を帯状遮光部材５の巻き終わりの先端部に接着剤により接着しているのであって、帯状遮光部材５に対するシート状リーダー部材６の接着位置は、帯状遮光部材５の長さ方向端縁における幅方向中央とし、幅方向に偏ることがないようにしている。
【００１６】
図に示すシート状リーダー部材６は、印画紙３と同一紙材から形成されて、保形性を有している。
【００１７】
尚、シート状リーダー部材６は、帯状遮光部材５に接着テープにより接続するようにしてもよい。
【００１８】
そして以上のロール状感光材料１は、図２に示すように、円盤状遮光部材４ａ・４ｂの外周部をロール状に巻かれた印画紙３の外周面に巻き込んだ状態で、帯状遮光部材５がロール状に巻かれた印画紙３の外周面に数回巻き付けられ、更に図１に示すように、シート状リーダー部材６が帯状遮光部材５の外周面に沿って巻かれて、その先端部は、テープ６０により、帯状遮光部材５に止められている。
【００１９】
一方、以上の感光材料１が装填されるペーパーマガジン７は、図４に示すように、ロール状感光材料１が収容されるマガジンケース７１と、このマガジンケース７１の上部開口を閉鎖するための蓋体７２とから構成されている。
【００２０】
そして蓋体７２は、マガジンケース７１にヒンジ７３を介して開閉自在に支持され、マガジンケース７１内は、蓋体７２を閉めることによって遮光状態とされ、またマガジンケース７１内には、リール（図示せず）を介してロール状感光材料１が回転自由に支持されるようにしている。
【００２１】
またマガジンケース７１の前板部７１ａと閉鎖状態にされた蓋体７２との間には、ペーパー引出し口７４が形成され、マガジンケース７１内におけるペーパー引出し口７４には、印画紙３の下面に沿うガイドフレーム７５が設けられている。
【００２２】
そしてカイドフレーム７５上には、印画紙３の幅方向の位置を規制するための左右一対のペーパーガイド７６ａ・７６ｂが組み付けられているのであって、この左右一対のペーパーガイド７６ａ・７６ｂの間隔Ｗ４は、印画紙３の幅寸法Ｗ２よりも僅かに広くなっている。
【００２３】
以上のペーパーマガジン7内に前述のロール状感光材料１を明室で装填するには、ロール状感光材料１をリールを介してマガジンケース７１内に装填して、シート状リーダー部材６の先端を止めているテープ６０を取り外す。
【００２４】
続いてシート状リーダー部材６の先端部をペーパーガイド７６ａ・７６ｂ間に挿通するのであるが、シート状リーダー部材６の幅Ｗ３は、印画紙３の幅Ｗ２と同一であって、しかもこのシート状リーダー部材６は保形性を備えていることから、このシート状リーダー部材６の先端部を印画紙３の幅寸法Ｗ２よりも僅かに広い幅のペーパーガイド７６ａ・７６ｂ間には簡単且つスムーズに挿通することが出来るのである。
【００２５】
そして、ペーパーガイド７６ａ・７６ｂ間に挿通したシート状リーダー部材６の先端部を更にペーパー引出し口７４からマガジンケース７１外に引き出した上で、蓋体７２を閉じるのであって、これによりロール状感光材料１は、遮光状態となったペーパーマガジン７内に保管される。
【００２６】
続いてペーパー引出し口７４から突出しているシート状リーダー部材６を更に引き出すのであって、このシート状リーダー部材６の引出しに伴って、シート状リーダー部材６に接続されている帯状遮光部材５も変形しながらペーパーガイド７６ａ・７６ｂ間を通って、ペーパー引出し口７４から外部に確実且つスムーズに引き出されるのである。
【００２７】
以上の実施形態では、シート状リーダー部材６を印画紙３と同一紙材から形成したが、これに限定されるものではなく、例えば写真フィルムと同一のフィルム材料から形成してもよい。
【００２８】
また以上の実施形態では、シート状リーダー部材６を帯状遮光部材５の先端部に予め接続したが、これに限定されるものではなく、このシート状リーダー部材６を別途保管して、ロール状感光材料１をペーパーマガジン７に装填する際に、このシート状リーダー部材６を帯状遮光部材５の先端部に両面テープなどにより接続するようにしてもよい。
【図面の簡単な説明】
【００２９】
【図１】ロール状感光材料の斜視図。
【図２】ロール状感光材料の断面図。
【図３】ロール状感光材料とペーパーマガジンのペーパーガイドとの関係を示す説明図
【図４】ロール状感光材料を装填したペーパーマガジンの断面図。
【図５】ペーパーマガジンの要部の拡大断面図。
【符号の説明】
【００３０】
１      ロール状感光材料
２      巻芯
３      印画紙（感光材料）
５      帯状遮光部材
６      シート状リーダー部材
７      ペーパーマガジン
７１    マガジンケース
７４    引出し口
７６ａ・７６ｂ  ペーパーガイド
【図１】
2006126685.tif 000003
【図２】
2006126685.tif 000004
【図３】
2006126685.tif 000005
【図４】
2006126685.tif 000006
【図５】
2006126685.tif 000007